(57)【特許請求の範囲】
【請求項１】
地表に適宜間隔で立設された支柱間に柵パネルが取着されてなる防護柵に於いて、この柵パネルが上横棧と下横棧とこの上横棧と下横棧間に亘って取着された多数の縦棧とからなり、この縦棧の上下両端部が略平坦となるように圧潰されて平坦部となされると共にこの平坦部の先端縁部は円形状に形成され、上横棧の下面と下横棧の上面の長手方向の全長に亘って、縦棧の両端部に形成された前記平坦部の厚みと略同寸の溝幅の開口部を有する袋溝がそれぞれ形成され、前記開口部の溝幅を前記平坦部の厚みと略同寸にして、縦桟が上横棧と下横棧間に亘って取着された状態においては、この縦桟の平坦部の部分のみが前記溝幅の開口部に位置されるようになされており、この袋溝に縦桟の平坦部が挿入支持されて、縦棧が上横棧と下横棧間に取り付けられたものであって、ピッチ確保材が上横棧と下横棧内に貫入され、このピッチ確保材に縦棧の上下平坦部が取着され、上横桟は長尺の板状体が断面円形状に折曲され、更に縁部が内方に屈曲され互いに対するようになされており、この相対する屈曲片により前記平坦部の厚みと略同寸の開口部が形成され、ピッチ確保材が前記開口部を形成する屈曲片の端部に当接されていることを特徴とする防護柵。
【請求項２】
ピッチ確保材が上横棧と下横棧内に貫入され、このピッチ確保材に縦棧の上下平坦部が回動可能に軸着されたことを特徴とする請求項１記載の防護柵。
【請求項３】
ピッチ確保材に縦棧の上下平坦部が、埋込リベットを介してピッチ確保材又は縦棧の上下平坦部のいずれか一方に孔を形成しつつ他方に埋設接合されて軸となされ、ピッチ確保材と縦棧の上下平坦部がこの埋込リベットを軸として回動可能に軸着されたことを特徴とする請求項２記載の防護柵。
【請求項４】
ピッチ確保材と縦棧の上下平坦部とが合わされて凹凸状に押圧変形されて、両者のいずれか一方が他方に埋設接合されて軸となされ、ピッチ確保材と縦棧の上下平坦部がこの埋設接合部を軸として回動可能に軸着されたことを特徴とする請求項２記載の防護柵。
【請求項５】
ピッチ確保材に適宜間隔でピッチ孔が穿設され、縦棧の上下平坦部には取付け孔が穿設されるとともにこの取付け孔とピッチ確保材に穿設されたピッチ孔とが合わせられてリベットを介して取着されたことを特徴とする請求項１記載の防護柵。
【請求項６】
ピッチ確保材と縦棧の上下平坦部がリベットを軸として回動可能に軸着されたことを特徴とする請求項５記載の防護柵。
【請求項７】
下横棧の袋溝の開口部に適宜間隔で挿入取着された縦棧間に目地材が挿入されたことを特徴とする請求項１〜６のいずれか１項に記載の防護柵。
【発明の詳細な説明】
【０００１】
【発明の属する技術分野】
本発明は、道路脇や敷地境界等の主として屋外に用いられる防護柵に関して、特に勾配のある設置場所に好適に用いられる防護柵に関するものである。
【０００２】
【従来の技術】
従来、傾斜地に用いられる防護柵として実公平７−４５７２９号公報には上横筒及び下横筒と、該上横筒の下面及び下横筒の上面に左右方向一定間隔で穿設された複数の嵌孔と、該嵌孔を通して上横筒及び下横筒内に上下端部が嵌入された縦格子管と、該縦格子管の上下端部に互いに左右方向で対向して穿設された第一楔孔及び第二楔孔と、該第一楔孔及び第二楔孔に貫通された横楔とを具え、前記縦格子管の上下端は夫々上横筒の内面及び下横筒の内面に当接され、前記第一楔孔は横楔とほぼ同径の孔とされ、かつ前記第二楔孔は第一楔孔に比して上下方向にのみ長い寸法の孔とされたフェンスが提案されている。
【０００３】
【発明が解決しようとする課題】
しかしながら上記実公平７−４５７２９号公報に提案されているフェンスにおいては、上横筒と下横筒とに穿設された嵌孔は、前記縦格子管の左右方向外形に比して左右方向にのみ長い寸法の長孔とされているので、横筒の縦格子管の取付け部近傍に隙間ができるとともに、横筒に穿設された嵌孔の縁部が露出されこの縁端部が錆びやすいという問題があった。また、上下の横筒に縦格子管を取着するのに横筒の略全長に亘って、横楔が縦格子管端部の楔孔に貫通されねばならず、フェンスパネルの組み立てが困難であるという問題があった。
【０００４】
そこで本発明者は従来の欠点に鑑み鋭意研究の結果、横棧の縁部が露出せず、組み立てが容易な防護柵を提供するものである。
【０００５】
【課題を解決するための手段】
本発明請求項１記載の防護柵は、地表に適宜間隔で立設された支柱間に柵パネルが取着されてなる防護柵に於いて、この柵パネルが上横棧と下横棧とこの上横棧と下横棧間に亘って取着された多数の縦棧とからなり、この縦棧の上下両端部が略平坦となるように圧潰されて平坦部となされると共にこの平坦部の先端縁部は円形状に形成され、上横棧の下面と下横棧の上面の長手方向の全長に亘って、縦棧の両端部に形成された前記平坦部の厚みと略同寸の溝幅の開口部を有する袋溝がそれぞれ形成され、前記開口部の溝幅を前記平坦部の厚みと略同寸にして、縦桟が上横棧と下横棧間に亘って取着された状態においては、この縦桟の平坦部の部分のみが前記溝幅の開口部に位置されるようになされており、この袋溝に縦桟の平坦部が挿入支持されて、縦棧が上横棧と下横棧間に取り付けられたものであって、ピッチ確保材が上横棧と下横棧内に貫入され、このピッチ確保材に縦棧の上下平坦部が取着され、上横桟は長尺の板状体が断面円形状に折曲され、更に縁部が内方に屈曲され互いに対するようになされており、この相対する屈曲片により前記平坦部の厚みと略同寸の開口部が形成され、ピッチ確保材が前記開口部を形成する屈曲片の端部に当接されていることを特徴とするものであって、袋溝の開口部が縦棧の平坦部の厚みと略同寸の開口部とされて縦棧の平坦部が挿入支持されていることから、縦棧の抜け防止がなされるとともに、袋溝の開口部においてこれに挿入された縦棧の回転が阻止され、また袋溝の開口部の溝幅を小さくできることから誤って指等を挟む事故等が防止できて、その上意匠的にも開口部が必要最小限の細幅に納まって優れた美観を呈する。
【０００６】
また、本発明は、ピッチ確保材が上横棧と下横棧内に貫入され、このピッチ確保材に縦棧の上下平坦部が取着されたものであり、多数の縦棧の上下端をピッチ確保材に取着した状態で上下のピッチ確保材を上下の横棧内に貫入取着すればよいので組み立てが容易である。
【０００７】
また、本発明請求項２記載の防護柵は、ピッチ確保材が上横棧と下横棧内に貫入され、このピッチ確保材に縦棧の上下平坦部が回動可能に軸着されたものであり、多数の縦棧の上下端をピッチ確保材に取着した状態で上下のピッチ確保材を上下の横棧内に貫入取着すればよいので組み立てが容易であり、さらに縦棧が上下端部で上下の横棧内に貫入されたピッチ確保材に軸着されているので、上下の横棧を互いに反対の水平方向に動かすことにより縦棧を横棧に対して容易に傾斜させることができる。
【０００８】
また、本発明請求項３記載の防護柵は、ピッチ確保材に縦棧の上下平坦部が、埋込リベットを介してピッチ確保材又は縦棧の上下平坦部のいずれか一方に孔を形成しつつ他方に埋設接合されて軸となされ、ピッチ確保材と縦棧の上下平坦部がこの埋込リベットを軸として回動可能に軸着されたものであり、縦棧が上下端部で上下の横棧内に貫入されたピッチ確保材に軸着されているので、上下の横棧を互いに反対の水平方向に動かすことにより縦棧を横棧に対して容易に傾斜させることができる。また、上記埋込リベットはピッチ確保材および縦棧の上下平坦部に、あらかじめ孔加工等事前の準備工程を経ることなく埋設接合されて軸となされることから、製造工程が簡略化できて低コストで生産できる。
【０００９】
また、本発明請求項４記載の防護柵は、ピッチ確保材と縦棧の上下平坦部とが合わされて凹凸状に押圧変形されて、両者のいずれか一方が他方に埋設接合されて軸となされ、ピッチ確保材と縦棧の上下平坦部がこの埋設接合部を軸として回動可能に軸着されたものであり、縦棧が上下端部で上下の横棧内に貫入されたピッチ確保材に軸着されているので、上下の横棧を互いに反対の水平方向に動かすことにより縦棧を横棧に対して容易に傾斜させることができ、ピッチ確保材と縦棧の上下平坦部の接合がリベット類を使わない２つの材料を凹凸状に押圧変形させてかしめて埋設接合されることから、リベット類等の副資材を使わず、かつピッチ確保材および縦棧の上下平坦部にあらかじめ孔加工等事前の準備工程が不要なことから、製造工程が簡略化できて低コストに生産できる。
【００１０】
また、本発明請求項５記載の防護柵は、ピッチ確保材に適宜間隔でピッチ孔が穿設され、縦棧の上下平坦部には取付け孔が穿設されるとともにこの取付け孔とピッチ確保材に穿設されたピッチ孔とが合わせられてリベットを介して取着されることから、縦棧の上下平坦部の取付け孔およびピッチ確保材に穿設されたピッチ孔が合わせられてかしめ工程の前段階において予めリベットの仮付けができる上にピッチ確保材には適宜間隔でのピッチ孔が前工程で設定されているため、かしめ加工段階では正確に位置設定する必要が無く作業が容易となる。
【００１１】
また、本発明請求項６記載の防護柵は、ピッチ確保材と縦棧の上下平坦部がリベットを軸として回動可能に軸着されていることから、上下の横棧を互いに反対の水平方向に動かすことにより縦棧を横棧に対して容易に傾斜させることができる。
【００１２】
また、本発明請求項７記載の防護柵は、下横棧の袋溝の開口部に適宜間隔で挿入取着された縦棧間に目地材が挿入されたもので、下横棧の開口部が目地材で隠蔽されることから下横棧にごみ等が入りにくくなる。
【００１３】
【発明の実施の形態】
以下、図面を参照しながら本発明について説明する。
図１は、本発明防護柵における防護柵パネルの実施形態の一例を示す正面図である。上横棧１と下横棧２はそれぞれ上下に水平方向に亘って配設され、上下の横棧間に多数の縦棧３の両端が取着され防護柵パネルとなされている。
【００１４】
図２は、図１の本発明防護柵の実施形態例の防護柵パネルの組み立て法を示す斜視図であって、多数の縦棧３を一定ピッチに配置してその縦棧３の両端が取着されたピッチ確保材４が上下の横棧に貫入される様子を表す。
【００１５】
ここで、縦棧３は断面円形の管体の両端が略平坦となるように圧潰されて平坦部３１となされており、該平坦部３１の縁部は円形状に形成されている。縦棧３は一般には鋼管やアルミ合金管等の金属管から製作され、適宜塗装や鍍金等の表面処理が施される。また、縦棧３は前記したように断面円形の管体が好適に用いられるが、断面矩形や楕円形の管体等が用いられてもよい。
【００１６】
ピッチ確保材４は長尺の鋼板等の金属板よりなり、その側面に対して前記縦棧３の両端の平坦部３１が合わせられて、適宜間隔をもって縦棧３が回動可能に軸着されて防護柵パネルが構成される。図３〜５には本発明防護柵の防護柵パネルにおける縦棧３の上下の平坦部３１とピッチ確保材４の側面との取着方法の実施形態例を示し、図８には縦棧３の上下の平坦部３１がピッチ確保材４の側面に取着されてその軸６を中心として回動する様子を表す。
【００１７】
すなわち図３は、ピッチ確保材４に下孔４３を形成しつつ埋込リベット６１の先端が縦棧３の平坦部３１に埋設され、ピッチ確保材４と縦棧３の平坦部３１とが取着されて埋込リベット６１によって軸６が構成される様子を表している。
【００１８】
また図４は、ピッチ確保材４と縦棧３の平坦部３１とが合わされてそれぞれが凹凸状に押圧変形され、ピッチ確保材４が縦棧３の平坦部３１に埋設取着されてかしめ軸６が構成される様子を表している。
【００１９】
さらに図５は、ピッチ確保材４に穿設されたピッチ孔４１および図７に示す縦棧３の平坦部３１の中心線上に平坦部３１を貫通して穿設された取付け孔３２の両孔を貫通して、ピッチ確保材４と縦棧３の平坦部３１とがリベット６２を介してかしめによって軸着される様子を表している。
【００２０】
ここにおいてピッチ確保材４は、図６に示したように長尺の鋼板等の金属板に適宜間隔で透孔が穿設されピッチ孔４１となされており、このピッチ孔４１は防護柵パネルを構成する縦棧３のピッチに適合するピッチで、かつ縦棧３の数に適合する数設けられる。また本実施例においては、ピッチ確保材４に後述する上下の横棧に設けられた螺子孔のピッチの数に対応する雌螺子４２が設けられたものであり、これは防護柵パネルが上下の横棧間に貫入取着された際に防護柵パネルの上下横棧への取着を確実にして防護柵使用中に振動等による異音の発生を防ぐべくなされたものであるが、上下横棧の端部を取付金具を介して支柱に固定する際に取付金具と柵パネルの端部とを同時に固着する等別の方法によってもこの異音の発生を防ぐことができることから、上下の横棧の螺子孔およびそれに対するピッチ確保材４の雌螺子４２は必ずしも設けられなくてよい。
【００２１】
図９には上述した縦棧３の平坦部３１がリベット６２によって軸着されたピッチ確保材４が後述する防護柵の上横棧１に挿入された状態を表すが、ピッチ確保材４はその断面形を屈曲させたＬ形等とされた場合には、多数の縦棧３が取着された際にも剛性を維持して防護柵パネルの組み立て工程において組み立て作業が容易となり、且つガタツキが少なくなる。かかるＬ形等のピッチ確保材４を用いた例を図１０に示した。
【００２２】
上横棧１は長尺の板状体が断面円形状に折曲され、更に縁部が内方に屈曲され互いに対するようになされており、この相対する屈曲片１１により形成される開口部１２は前記縦棧３の両端に形成された平坦部３１の厚みと略同寸法となされ、袋溝が形成されている。上横棧１は前記開口部が下方となるように支柱間に配設され、またこの上横棧１の側壁には適宜間隔で透孔が穿設され螺子孔となされている。上横棧１は鋼板等の金属板から作成され、適宜塗装や鍍金等の表面処理が施される。
【００２３】
下横棧２は長尺の板状体が断面円形状に折曲され、更に縁部が内方に屈曲され互いに対するようになされており、この相対する屈曲片２１により形成される開口部２２は前記縦棧３の両端に形成された平坦部３１の厚みと略同寸法となされ、袋溝が形成されている。下横棧２は前記開口部が上方となるように支柱間に配設され、またこの下横棧２の側壁には適宜間隔で透孔が穿設され螺子孔となされている。下横棧２は鋼板等の金属板から作成され、適宜塗装や鍍金等の表面処理が施される。
【００２４】
なお、上横棧１と下横棧２の断面形状は前記した円形に限るもではなく、矩形や楕円形であっても良いが、従来の防護柵の断面形状の円形が従来の柵との違和感がなく好適である。
【００２５】
さらに、上述したピッチ確保材４と縦棧３の平坦部３１との軸着を説明した図３〜７の実施例に基づいて、図１，２および図３〜７および図９，１１によって防護柵パネルの組み立ての詳細について説明する。
【００２６】
縦棧３の上下の平坦部３１に設けられた取付け孔３２とピッチ確保材４に設けられたピッチ孔４１がリベット等の接合方法によって回動可能に軸着され、適宜数の縦棧３の上下端部がピッチ確保材４に取り付けられ、次にこのピッチ確保材４が上下の横棧の袋溝内に貫入されて図９の状態となされ、横棧の開口部１２，２２を構成する屈曲片１１，２１の端部に当接され、横棧の側壁に設けられた螺子孔を貫通する螺子がピッチ確保材４の雌螺子４２に螺着されて図１１の状態となされ、上下の横棧間に多数の縦棧３が取着された防護柵パネルが構成される。
【００２７】
ピッチ確保材４と縦棧３との軸着は前記した図３，５等リベット類を用いた方法や図４のかしめ軸による方法によれば簡単な工程で容易に軸着できて縦棧３と横棧がスムーズに回動できるので好適であるが、ピッチ確保材４のピッチ孔４１に雌螺子を形成して雄螺子で縦棧３が回動可能に取着されてもよい。
【００２８】
また、縦棧３と横棧の組み立ては前記したようにピッチ確保材４を用いた方が組み立て性が良く好適であるが、これに限るものではなく、横棧の螺子孔に対向する側壁にも透孔を設け横棧に縦棧３を螺子等で取着しても良い。
【００２９】
本発明防護柵は傾斜地に立設されるとき、防護柵パネルの上下の横棧を互いに反対の水平方向に動かすと縦棧３は横棧に対して傾斜され、横棧が傾斜するように支柱間に取着されたときも縦棧３が垂直になるようになされる。
【００３０】
防護柵パネルが支柱間に取り付けられた後、下横棧２のとなりあう縦棧３の間の開口部に目地材５が挿入される。目地材５は外形が横棧の外形に適合するようになされた蓋部５１とこの外部の裏面に突設された突条５２と突条５２の端部に形成された抜止め部５３からなり、下横棧２の開口部２２を形成する屈曲片２１の間に図１１に示すように挿入取着される。目地材５は、合成樹脂やゴム等適宜材料から製作される。
【００３１】
下横棧２の開口部２２に目地材５が挿入された場合には開口部２２が隠蔽されて好適であるが、開口部２２の幅は前記のとおり縦棧３の平坦部３１の厚みと略等しくなされていて手指等が容易に入ることはなく安全であるため、目地材５は必ずしも用いられる必要はない。
【００３２】
【発明の効果】
上述の如く、本発明請求項１記載の防護柵は、地表に適宜間隔で立設された支柱間に柵パネルが取着されてなる防護柵に於いて、この柵パネルが上横棧と下横棧とこの上横棧と下横棧間に亘って取着された多数の縦棧とからなり、この縦棧の上下両端部が略平坦となるように圧潰されて平坦部となされると共にこの平坦部の先端縁部は円形状に形成され、上横棧の下面と下横棧の上面の長手方向の全長に亘って、縦棧の両端部に形成された前記平坦部の厚みと略同寸の溝幅の開口部を有する袋溝がそれぞれ形成され、前記開口部の溝幅を前記平坦部の厚みと略同寸にして、縦桟が上横棧と下横棧間に亘って取着された状態においては、この縦桟の平坦部の部分のみが前記溝幅の開口部に位置されるようになされており、この袋溝に縦桟の平坦部が挿入支持されて、縦棧が上横棧と下横棧間に取り付けられたものであって、ピッチ確保材が上横棧と下横棧内に貫入され、このピッチ確保材に縦棧の上下平坦部が取着され、上横桟は長尺の板状体が断面円形状に折曲され、更に縁部が内方に屈曲され互いに対するようになされており、この相対する屈曲片により前記平坦部の厚みと略同寸の開口部が形成され、ピッチ確保材が前記開口部を形成する屈曲片の端部に当接されていることを特徴とするものであって、袋溝の開口部が縦棧の平坦部の厚みと略同寸の開口部とされて縦棧の平坦部が挿入支持されていることから、縦棧の抜け防止がなされるとともに、袋溝の開口部においてこれに挿入された縦棧の回転が阻止され、また袋溝の開口部の溝幅を小さくできることから誤って指等を挟む事故等が防止できて、その上意匠的にも開口部が必要最小限の細幅に納まって優れた美観を呈する。
【００３３】
また、本発明は、ピッチ確保材が上横棧と下横棧内に貫入され、このピッチ確保材に縦棧の上下平坦部が取着されたものであり、多数の縦棧の上下端をピッチ確保材に取着した状態で上下のピッチ確保材を上下の横棧内に貫入取着すればよいので組み立てが容易である。
【００３４】
また、本発明請求項２記載の防護柵は、ピッチ確保材が上横棧と下横棧内に貫入され、このピッチ確保材に縦棧の上下平坦部が回動可能に軸着されたものであり、多数の縦棧の上下端をピッチ確保材に取着した状態で上下のピッチ確保材を上下の横棧内に貫入取着すればよいので組み立てが容易であり、さらに縦棧が上下端部で上下の横棧内に貫入されたピッチ確保材に軸着されているので、上下の横棧を互いに反対の水平方向に動かすことにより縦棧を横棧に対して容易に傾斜させることができる。
【００３５】
また、本発明請求項３記載の防護柵は、ピッチ確保材に縦棧の上下平坦部が、埋込リベットを介してピッチ確保材又は縦棧の上下平坦部のいずれか一方に孔を形成しつつ他方に埋設接合されて軸となされ、ピッチ確保材と縦棧の上下平坦部がこの埋込リベットを軸として回動可能に軸着されたものであり、縦棧が上下端部で上下の横棧内に貫入されたピッチ確保材に軸着されているので、上下の横棧を互いに反対の水平方向に動かすことにより縦棧を横棧に対して容易に傾斜させることができる。また、上記埋込リベットはピッチ確保材および縦棧の上下平坦部に、あらかじめ孔加工等事前の準備工程を経ることなく埋設接合されて軸となされることから、製造工程が簡略化できて低コストで生産できる。
【００３６】
また、本発明請求項４記載の防護柵は、ピッチ確保材と縦棧の上下平坦部とが合わされて凹凸状に押圧変形されて、両者のいずれか一方が他方に埋設接合されて軸となされ、ピッチ確保材と縦棧の上下平坦部がこの埋設接合部を軸として回動可能に軸着されたものであり、縦棧が上下端部で上下の横棧内に貫入されたピッチ確保材に軸着されているので、上下の横棧を互いに反対の水平方向に動かすことにより縦棧を横棧に対して容易に傾斜させることができ、ピッチ確保材と縦棧の上下平坦部の接合がリベット類を使わない２つの材料を凹凸状に押圧変形させてかしめて埋設接合されることから、リベット類等の副資材を使わず、かつピッチ確保材および縦棧の上下平坦部にあらかじめ孔加工等事前の準備工程が不要なことから、製造工程が簡略化できて低コストに生産できる。
【００３７】
また、本発明請求項５記載の防護柵は、ピッチ確保材に適宜間隔でピッチ孔が穿設され、縦棧の上下平坦部には取付け孔が穿設されるとともにこの取付け孔とピッチ確保材に穿設されたピッチ孔とが合わせられてリベットを介して取着されることから、縦棧の上下平坦部の取付け孔およびピッチ確保材に穿設されたピッチ孔が合わせられてかしめ工程の前段階において予めリベットの仮付けができる上にピッチ確保材には適宜間隔でのピッチ孔が前工程で設定されているため、かしめ加工段階では正確に位置設定する必要が無く作業が容易となる。
【００３８】
また、本発明請求項６記載の防護柵は、ピッチ確保材と縦棧の上下平坦部がリベットを軸として回動可能に軸着されていることから、上下の横棧を互いに反対の水平方向に動かすことにより縦棧を横棧に対して容易に傾斜させることができる。
【００３９】
また、本発明請求項７記載の防護柵は、下横棧の袋溝の開口部に適宜間隔で挿入取着された縦棧間に目地材が挿入されたもので、下横棧の開口部が目地材で隠蔽されることから下横棧にごみ等が入りにくくなる。
【図面の簡単な説明】
【図１】本発明防護柵における防護柵パネルの実施形態の一例を示す正面図である。
【図２】本発明防護柵における防護柵パネルの組み立ての実施形態の一例を説明するための、斜視図である。
【図３】本発明防護柵におけるピッチ確保材と縦棧の接合の一例を示す側面図である。
【図４】本発明防護柵におけるピッチ確保材と縦棧の接合の他の例を示す側面図である。
【図５】本発明防護柵におけるピッチ確保材と縦棧の接合のさらに他の例を示す側面図である。
【図６】本発明防護柵におけるピッチ確保材の一例を示す正面図である。
【図７】本発明防護柵における縦棧の実施形態の一例を示す（イ）は正面図、（ロ）は側面図である。
【図８】本発明防護柵において、防護柵パネルを傾斜させたときの状態を説明する要部の正面図である。
【図９】図１のＢ−Ｂ断面図である。
【図１０】図１のＢ−Ｂにおける他の一例を示す断面図である。
【図１１】図１のＡ−Ａ断面図である。
【図１２】本発明防護柵における目地材の実施形態の一例を示す断面図である。
【符号の説明】
１    上横棧
１１  屈曲片
１２  開口部
２    下横棧
２１  屈曲片
２２  開口部
３    縦棧
３１  平坦部
３２  取付け孔
４    ピッチ確保材
４１  ピッチ孔
４２  雌螺子
４３  下孔
５    目地材
５１  蓋部
５２  突条
５３  抜止め部
６    軸
６１  埋込リベット
６２  リベット
【図１】
0003742504.tif 000002
【図２】
0003742504.tif 000003
【図３】
0003742504.tif 000004
【図４】
0003742504.tif 000005
【図５】
0003742504.tif 000006
【図６】
0003742504.tif 000007
【図７】
0003742504.tif 000008
【図８】
0003742504.tif 000009
【図９】
0003742504.tif 000010
【図１０】
0003742504.tif 000011
【図１１】
0003742504.tif 000012
【図１２】
0003742504.tif 000013